(57)【要約】【課題】ボックス文書の文書リスト閲覧時に、文書リストに触れた際に、タッチパネルを振動させたり、振動パターンを変化させることにより触感を伝えることにより、直感的にユーザに認識させるようにすることで、文書リスト閲覧時の文書検索の操作性を向上させる。【解決手段】タッチパネルに触れた位置を検出し、またタッチパネルを振動させて触感を伝えるタッチパネル入力手段、文書データ保存手段、文書データに対して振動属性を付加する手段、文書データを一覧する手段、一覧した文書を選択する文書選択手段を有し、文書を選択した際に、選択した文書が振動属性をもつときには、タッチパネルを振動させて触感を伝えることを特徴とする画像処理装置。【選択図】        図１
2006171945.tif 000002
【特許請求の範囲】
【請求項１】
操作画面を表示する表示手段、
タッチパネルに触れた位置を検出し、またタッチパネルを振動させて触感を伝えるタッチパネル入力手段、
文書データ保存手段、
文書データに対して振動属性を付加する手段、
文書データを一覧する手段、一覧した文書を選択する文書選択手段を有し、
文書を選択した際に、選択した文書が振動属性をもつときには、タッチパネルを振動させて触感を伝えることを特徴とする画像処理装置。
【請求項２】
操作画面を表示する表示手段、
タッチパネルに触れた位置を検出し、またタッチパネルを振動させて触感を伝えるタッチパネル入力手段、
文書データ保存手段、
文書データを一覧する手段、一覧した文書を選択する文書選択手段を有し、
文書を選択した際に、選択した文書の属性値を判断してタッチパネルを振動させて触感を伝えることを特徴とする画像処理装置。
【請求項３】
請求項２記載の画像処理装置において、文書の重要度を設定する手段を有し、
文書を選択した際に、文書の重要度に対応してタッチパネルを振動させて触感を伝えることを特徴とする画像処理装置。
【請求項４】
請求項２記載の画像処理装置において、文書の優先度を設定する手段を有し、
文書を選択した際に、文書の優先度に応じて、タッチパネルを振動させて触感を伝えることを特徴とする画像処理装置。
【発明の詳細な説明】
【技術分野】
【０００１】
本発明は、タッチパネルを有する画像処理装置に関する。
【背景技術】
【０００２】
近年のデジタル複写機においては、スキャナから読み取った画像データ、ホストコンピュータからネットワークを介して受信したＰＤＬデータを展開することによって得られた画像データを、ハードディスクなどの記憶装置に一旦記憶し、その記憶装置から読み出してプリントアウトすることや、読み出しデータをインターネット上に送信することが行われている。画像データを蓄積することができるようになったため、データの一時保管やユーザの都合の良いときにプリントや送信できるようにボックス機能が実現されている。
【０００３】
ボックスとは、原稿を読み込んだデータやＰＤＬなどの展開データをファイリングのような感覚で保存しておき、ボックスに記憶されたデータは、必要なときに必要な設定でプリントや送信できるようになっている。ボックスの中からユーザが必要な文書を指定する際には、保存している文書一覧をリスト表示させて、一覧表示の中から選択することが可能になっている。文書一覧のリストには、保存している文書の文書名、保存した日時、画像サイズ、ページ数などが表示されるようになっていた。
【特許文献１】特開２００１−４２７９１号公報
【発明の開示】
【発明が解決しようとする課題】
【０００４】
しかしながら、ユーザが必要な文書を指定する際には、文書一覧リストに表示されている項目、例えば、文書名や保存した日時を目視による確認を行うことで必要な文書を探すことになり、リスト表示された文書の中で、ユーザにとってどれが必要な文書なのかが直感的にわかりにくかった。また、保存されている文書の数が多いと、すばやく文書を見つけることができなかった。
【０００５】
直感的に認識させるためには、例えば、タッチパネルに触れたときに振動を与えて触感による認識を与えることが考えられる。特許文献１に開示された文書表示装置においては、文書の指定された頁や範囲の文書データ内に振動データが含まれている場合は、文書表示装置を振動させるようになっている。この装置においては、文書の中身を表示中に、文書内に格納されている振動タイミング、振動データにより表示装置を振動させていたが、文書リストの中から必要な文書を検索する際については言及されていない。
【０００６】
このため、本発明は、保存文書（例えばボックス文書）の文書リスト閲覧時に、文書リストに触れた際に、タッチパネルを振動させたり、振動パターンを変化させることにより触感を伝えることにより、直感的にユーザに認識させるようにすることで、文書リスト閲覧時の文書検索の操作性を向上させることを目的とする。
【課題を解決するための手段】
【０００７】
上記目的を達成するために、本発明の請求項１記載の画像処理装置では、操作画面を表示する表示手段、タッチパネルに触れた位置を検出し、またタッチパネルを振動させて触感を伝えるタッチパネル入力手段、文書データ保存手段、文書データに対して振動属性を付加する手段、文書データを一覧する手段、一覧した文書を選択する文書選択手段を有し、文書を選択した際に、選択した文書が振動属性をもつときには、タッチパネルを振動させて触感を伝えることを特徴とする。
【０００８】
また、本発明の請求項２記載の画像処理装置では、操作画面を表示する表示手段、タッチパネルに触れた位置を検出し、またタッチパネルを振動させて触感を伝えるタッチパネル入力手段、文書データ保存手段、文書データを一覧する手段、一覧した文書を選択する文書選択手段を有し、文書を選択した際に、選択した文書の属性値を判断してタッチパネルを振動させて触感を伝えることを特徴とする。
【０００９】
また、本発明の請求項３記載の画像処理装置では、請求項２記載の画像処理装置において文書の重要度を設定する手段を有し、文書を選択した際に、文書の重要度に対応してタッチパネルを振動させて触感を伝えることを特徴とする。
【００１０】
また、本発明の請求項４記載の画像処理装置では、請求項２記載の画像処理装置において文書の優先度を設定する手段を有し、文書を選択した際に、文書の優先度に応じて、タッチパネルを振動させて触感を伝えることを特徴とする。
【発明の効果】
【００１１】
本発明によれば、ユーザが文書をボックスに登録する際に、保存文書に対して振動するしないを設定することが可能になり、文書一覧時に振動属性が与えられた文書を選択したときにはタッチパネルが振動することにより、文書に対してしおりをつける効果が得られる。このため、リスト表示された文書の中で、ユーザにとってどれが必要な文書なのかを直感的に判断できるようになり、またすばやく文書を見つけることができるようになるため、操作性が向上する。
【００１２】
また、文書の重要度に対応して振動属性を設定できるので、ボックス内の多数の文書に対して、文書の一覧時に文書名に触るだけで、その文書が重要かどうかを判断することができる。
【発明を実施するための最良の形態】
【００１３】
以下、本発明を実施するための最良の形態について、図面を参照して説明する。
【実施例】
【００１４】
〔第１の実施の形態〕
本発明の実施例にかかわる画像入出力システムの全体構成を、図１を参照しながら説明する。
【００１５】
リーダー部（画像入力装置）２００は、原稿画像を光学的に読み取り、画像データに変換する。リーダー部２００は、原稿を読取るための機能を持つスキャナユニット２１０と、原稿用紙を搬送するための機能を持つ原稿給紙ユニット２５０とで構成される。
【００１６】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１７】
制御装置１１０は、リーダー部２００、プリンタ部３００と電気的に接続され、さらにネットワーク４００を介して、ホストコンピュータ４０１，４０２と接続されている。
【００１８】
制御装置１１０は、リーダー部２００を制御して、原稿の画像データを読込み、プリンタ部３００を制御して画像データを記録用紙に出力してコピー機能を提供する。また、リーダー部２００から読取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１９】
操作部１８０は、制御装置１１０に接続され、液晶タッチパネルで構成され、画像入出力システムを操作するためのユーザＩ／Ｆを提供する。
【００２０】
＜制御装置の説明＞
制御装置１１０の機能を、図３に示すブロック図をもとに説明する。
【００２１】
メインコントローラ１１１にはＣＰＵ，レンダリング部，メモリコントローラ，シリアル通信制御部，シリアルバス制御部が含まれている。
【００２２】
ＣＰＵは制御装置１１０全体の動作を制御するものであり、Ｍｅｍｏｒｙ１２１に格納されたプログラムに基づいて動作する。また、ホストコンピュータから受信したＰＤＬ（ページ記述言語）コードデータを解釈し、ラスターイメージデータに展開する動作も、このプログラムに記述されており、コードデータの解釈はＣＰＵで行われ、ラスターイメージデータの展開はレンダリング部で処理される。レンダリング部ではＣＰＵで作成されたコードデータに基づいてラスターイメージデータを作成し、Ｍｅｍｏｒｙ１２１や、プリンタ画像処理部１５１に展開後のラスタデータを転送する。レンダリング部で作成されるイメージデータの色空間はＲＧＢ，ＣＭＹＫが挙げられる。
【００２３】
シリアル通信制御部はプリンタ部３００のＣＰＵとシリアルバスを介して制御コマンドを送受信して通信を行う。
【００２４】
シリアルバス制御部ではホストコンピュータとの通信、各種デバイスとの通信がコネクタ１２２を介して行われる。シリアルバスとしては一般的にＵＳＢがあげられ、ホストコンピュータからＰＤＬデータを受信するＩ／Ｆとして用いられる。
【００２５】
コネクタ１２３にはシリアルバスが接続され、リーダコントローラ部２２２との通信や、画像データの転送に用いられる。
【００２６】
ＢｏｏｔＲＯＭ１２４はＣＰＵが起動するプログラムが格納されており、また場合によってはＰＤＬ用のＦＯＮＴデータが格納される。
【００２７】
汎用高速バス１３０には、拡張ボードを接続するための拡張コネクタ１３５とＩ／Ｏ制御部１３６，ＨＤコントローラ１３１，音声出力部１３３が接続される。汎用高速バスとしては、一般的にＰＣＩバスがあげられる。
【００２８】
ＨＤコントローラ１３１は、外部記憶装置を接続するためのものである。本実施例においては、このＩ／Ｆを介してハードディスクドライブ１３２を接続している。ハードディスク１３２はプログラムを格納したり、画像データを記憶するのに用いている。
【００２９】
Ｉ／Ｏ制御コントローラ１３６は、データバス１９１の制御を行い、ポートや割り込みの制御を行う。また、Ｉ／Ｏ制御コントローラ１３６にはＣＰＵ１３７が搭載され、ポート制御１３８の制御やＮｅｔｗｏｒｋ  Ｃｏｎｔｏｒｌｌｅｒ  １４０、操作部１８０との通信、Ｍｏｄｅｍ１４６との通信等を制御する。
【００３０】
Ｎｅｔｗｏｒｋ  Ｃｏｎｔｒｏｌｌｅｒ１８０は外部ネットワーク１４７と接続される。ネットワークとしては一般的にイーサネット(登録商標)があげられ、ホストコンピュータからのＰＤＬデータ受信や、スキャナ画像の送信、リモート管理等に用いられる。
【００３１】
Ｍｏｄｅｍ１４６は公衆回線１４９に接続され、ＦＡＸの通信を行う。
【００３２】
Ｍｅｍｏｒｙ１３９はＣＰＵ１３７のワーク用メモリ、操作部１８０に表示する画像データのワーク用メモリ等に用いられる。
【００３３】
音声出力部１３３は音声信号を出力する為のもので、汎用高速バス１３０から入力されたデータに基づいてスピーカ１３４に信号を出力する。
【００３４】
操作部Ｉ／Ｆ１４５は操作部１８０の液晶画面に表示を行うためのＩ／Ｆと、ハードキーやタッチパネルキーの入力を行うためのキー入力Ｉ／Ｆ，タッチパネルを振動させる信号を出力するＩ／Ｆとから構成される。
【００３５】
図４にパネルを振動させる駆動信号波形の一例を示す。
【００３６】
（ａ）は１０ｍｓの幅のパルスを２回発生させるもので、これによりタッチパネルは瞬間的に２回振動を行う。ユーザには押しボタンを押した際に生じるクリック感が得られる。
【００３７】
（ｂ）は正弦波交流の駆動信号で、タッチパネルは同じ周波数で振動を行う。これにより、モータで振動させたような感触が得られる。
【００３８】
（ｃ）は（ｂ）と同じ周波数の振動を行うが、振幅を小さくしているので（ｂ）に比較して弱い感触となる。
【００３９】
操作部１８０は液晶表示部と液晶表示部上に張り付けられたタッチパネル入力装置と、複数個のハードキーを有する。タッチパネルまたはハードキーにより入力された信号は前述した操作部Ｉ／Ｆ１４７を介して入力されたハードキーのＩＤ番号と入力されたタッチパネルの座標情報としてＣＰＵ１３７に伝えらる。液晶表示部は操作部Ｉ／Ｆ１４７から送られてきた画像データを表示するものである。液晶表示部には、本画像形成装置の操作における機能表示や画像データ等を表示する。
【００４０】
ＦＡＮ１４８はＩ／Ｏ制御コントローラ１３６に接続され、コントローラ部１１０を冷却するのに用いる。
【００４１】
ＳＲＡＭ１４１はバックアック用電池１４４でバックアップされており、ユーザーモードや各種設定情報や、ハードディスクドライブ１３２のファイル管理情報等を蓄積している。
【００４２】
リアルタイムクロックモジュール１４３は、機器内で管理する日付と時刻を更新／保存するためのもので、バックアップ電池１４４によってバックアップされている。
【００４３】
プリンタ画像処理部１５１、カスタムバス１２５と高速バス１５０でメインコントローラ１１１と接続されている。高速バス１５０は片方向通信でリング状に接続されている。
【００４４】
プリンタ画像処理部１５１は、コネクタ１８１を介してプリンタ部３００と接続され、メインコントローラ１１１から入力された画像データに所定の画像処理を施して、メインコントローラ１１１もしくはプリンタ部３００へ出力する機能を有する。Ｍｅｍｏｒｙ１５２はプリンタ画像処理１５１のワーク領域および遅延バッファとして使用される。
【００４５】
操作部概要
操作部１８０の構成を図５に示す。ＬＣＤ表示部（３００１）は、ＬＣＤ上にタッチパネルシートが貼られており、システムの操作画面を表示するとともに、表示してあるキーが押されるとその位置情報をコントローラＣＰＵに伝える。スタートキー（３００２）は原稿画像の読取り動作を開始する時などに用いる。スタートキー中央部には、緑と赤の２色ＬＥＤがあり、その色によってスタートキーが使える状態にあるかどうかを示す。ストップキー（３００３）は稼働中の動作を止める働きをする。ハードキー群３００６には、テンキー、クリアキー、リセットキー、ガイドキー、ユーザモードキー、ＩＤキーが設けられている。ＩＤキーは使用者のユーザＩＤを入力するときに用いる。リセットキーは操作部からの設定を初期化するときに用いる。
【００４６】
タッチパネル部分は制御装置１１０からの制御により、タッチパネル部分全体を振動させることができ、操作者がパネルに触れたときにパネルを振動させることにより指先に振動を伝え、入力操作が行えていることを伝えることができる。
【００４７】
操作画面
本発明の装置が提供する機能は、Ｃｏｐｙ／Ｓｅｎｄ／ＢＯＸ／Ｒｅｍｏｔｅ  ｓｃａｎの４つの大きなカテゴリーに分かれており、これらは図６に示す操作画面（３０１０）上の上部に表示される４つのメインタブ（ＣＯＰＹ／ＳＥＮＤ／ＢＯＸ／ＲＥＭＯＴＥ  ＳＣＡＮ）（３０１１〜３０１４）に対応している。これらのメインタブを押すことにより、各カテゴリーの画面への切り替えが行われる。
【００４８】
Ｃｏｐｙは自機が有するスキャナとプリンタを使用して通常のドキュメント複写を行う。Ｓｅｎｄは自機が有するスキャナに置かれたドキュメントを、電子メール、ファックス、ファイル転送、ＢＯＸ保存およびデータベースに転送する機能であり、宛先を複数指定することが可能である。ＢＯＸはスキャナ読み込み，ＦＡＸ受信，ＰＤＬ展開したドキュメントを自機が有するハードディスクに保存する機能で、印刷、送信することが可能である。Ｒｅｍｏｔｅ  ｓｃａｎはオンラインでｐｕｌｌ  ｓｃａｎを行う。
【００４９】
操作画面に表示されたボタン及びハードキー群には各々にユニークなキーＩＤが割り振られ、キー入力を受け付けると各キーＩＤ情報を基に画面切替えや設定等の処理が行われる。また、キーＩＤには振動設定情報と音声出力情報が割当てられている。
【００５０】
以下、これらの機能設定を行う方法をＬＣＤ画面表示の例を使用して説明する。
【００５１】
ＣＯＰＹ画面
ＣＯＰＹ画面表示時にスタートボタンを押すと、スキャナが動作し、選択されているプリンタから画面上に表示されている各設定パラメータに応じた複写物が出力される。
【００５２】
ＣＯＰＹメイン画面（３１００）はＩｍａｇｅ  Ｑｕａｌｉｔｙ選択表示ボタン（３１０５）、コピーパラメータ表示（３１０１）、拡大縮小設定ボタン（３１０６，３１０７）、紙選択ボタン（３１０８）、ソータ設定ボタン（３１１０）、両面コピー設定ボタン（３１１２）、濃度インジケータおよび濃度設定ボタン（３１０９）、応用モード設定ボタン（３１１５）から構成される。Ｉｍａｇｅ  Ｑｕａｌｉｔｙ設定ボタン（３１０５）を選択すると、Ｉｍａｇｅ  Ｑｕａｌｉｔｙ一覧が表示され、その中から所望のＩｍａｇｅ  Ｑｕａｌｉｔｙを選択することができる。前述のコピーパラメータ設定ボタンを選択すると、それぞれに対応した設定を行うためのサブ画面（拡大縮小設定、紙選択、ソータ設定、両面コピー設定）が表示され、パラメータを設定することができる。また濃度設定ボタン（３１０９）で濃度設定をすることができる。応用モード設定ボタン（３１１５）を選択すると、図７に示す様にページ連写や縮小レイアウト等の機能設定ボタンを表示する。これらの機能設定ボタンを選択すると、それぞれに対応したサブ画面が表示され、パラメータを設定することが出来る。
【００５３】
ＳＥＮＤ画面
Ｓｅｎｄ画面表示時にスタートボタンが押されると、スキャナが動作し、読取った画像データを設定された宛先に指定された送信方法で送信する処理が開始される。
【００５４】
図８に示すＳＥＮＤメイン画面（３２００）は、宛先表示領域（３２０２）、宛先スクロールボタン（３２０４）、アドレスブックボタン（３２０８）、送信方法選択ボタン（３２７１〜３２７５）、Ｅｄｉｔボタン（３２１０）、Ｄｅｌｅｔｅボタン（３２１１）、送信設定ボタン（３２０５）、Ｓｃａｎ  Ｓｅｔｔｉｎｇボタン（３２１５）から構成される。リセットを含む初期化時にはＳＥＮＤメイン画面３２００に示すように、宛先表示領域には１つの宛先も表示されず、操作説明画面が表示される。
【００５５】
宛先表示領域（３２０２）には入力された宛先の一覧が表示される。入力は順次末尾に追加される。宛先表示領域からある宛先を選択した後、Ｄｅｌｅｔｅボタン（３２１１）を選択すると、選択されていた宛先が削除される。送信設定ボタンを押すとＳｕｂｊｅｃｔ入力、Ｍｅｓｓａｇｅ入力、Ｆｉｌｅ  Ｎａｍｅ入力画面を表示する。アドレスブックボタン（３２０８）を選択すると、アドレスブックサブ画面が表示され、登録している送信宛先を選択することができる。送信方法（電子メール、ファックス、Ｉファックス、ファイル、ＢＯＸ）に対応した送信方法選択ボタン（３２７１〜３２７５）を選択すると詳細サブ画面が表示され、新しい宛先の設定が可能になる。Ｓｃａｎ  Ｓｅｔｔｉｎｇボタン（３２１５）を選択すると、Ｓｃａｎ  Ｓｅｔｔｉｎｇサブ画面が表示され、予め設定された解像度，スキャンモード，濃度が表示され選択することができる。これらの値は手動で変えることも可能である。
【００５６】
ＢＯＸ画面
ＢＯＸ画面では、スキャナから読み取った画像データを指定したＢＯＸに格納したり、ＢＯＸに蓄積された文章のプリント、送信設定を行う。
【００５７】
図９に示すＢＯＸメイン画面（３３００）にはＢＯＸ選択ボタン（３３１０〜３３１６）、ＢＯＸスクロールボタン（３３０２，３３０３）、システムＢＯＸボタン（３３０４）、ＦＡＸＢＯＸボタン（３３０５）、メモリ残量表示領域（３３０６）、ＢＯＸ名称表示領域（３３０７）から構成される。ＢＯＸ選択ボタン（３３１０〜３３１６）を選択すると、図１０に示すユーザＢＯＸサブ画面（３３２０）が表示される。ＢＯＸスクロールボタン（３３０２，３３０３）を選択すると、表示されるＢＯＸ番号がスクロールする。システムＢＯＸボタン（３３０４）を選択すると、システムＢＯＸサブ画面が表示され、通信機能で受信した文章の一覧を表示する。ＦＡＸＢＯＸボタン（３３０５）を選択すると、ＦＡＸＢＯＸサブ画面が表示される。ＦＡＸＢＯＸにはＦＡＸ受信した文章が保存され、ＦＡＸＢＯＸサブ画面に表示されるＢＯＸ選択ボタンを選択すると保存された文章一覧が表示される。メモリ残量表示領域（３３０６）にはハードディスクドライブ１３２に確保された文章保存領域の空き容量が表示される。ＢＯＸ名称表示領域（３３０７）には各ＢＯＸ番号に設定された名称を表示する。
【００５８】
ユーザＢＯＸサブ画面（３３２０）は、ＢＯＸ文章表示領域（３３２１）、表示スクロールボタン（３３２２，３３２３）、選択ボタン（３３２４）、画像表示ボタン（３３２５）、移動複製ボタン（３３２６）、詳細表示ボタン（３３２７）、消去ボタン（３３２８）、プリントボタン（３３２９）、原稿読み込みボタン（３３３０）、送信ボタン（３３３１）、閉じるボタン（３３３２）から構成される。
【００５９】
ＢＯＸ文章表示領域（３３２１）には格納された文章一覧が表示され、文章を選択すると左側にチェック印が表示される。表示スクロールボタン（３３２２，３３２３）を選択すると表示文章がスクロールする。選択ボタン（３３２４）は、文章を選択していない場合は全選択、文章を選択している場合は選択解除の機能を果たす。画像表示ボタン（３３２５）を選択すると、現在選択されている文章を画面上に表示する。移動複製ボタン（３３２６）を選択するとサブ画面が表示され、選択した文章を他のＢＯＸに移動・複製することができる。詳細表示ボタン（３３２７）を選択すると、現在選択されている文章の詳細な設定が表示される。消去ボタン（３３２８）を選択すると、選択されている文章をＢＯＸから消去する。プリントボタン（３３２９）を選択すると、プリントサブ画面が表示され、選択した文章を印刷することができる。原稿読み込みボタン（３３３０）を選択すると、原稿読み込みサブ画面が表示され、原稿読み取りのための設定を行うことが可能である。原稿読み取りサブ画面が表示されているときに、スタートキー３００２を押下すると、スキャナから原稿を読み込みＢＯＸに格納することができる。送信ボタン（３３３１）を選択すると、送信サブ画面が表示され、選択した文章を指定した宛先に送信することができる。閉じるボタン（３３３２）を選択するとＢＯＸメイン画面（３３００）に戻る。
【００６０】
図１１に示す原稿読み込みサブ画面（３３４０）は、等倍ボタン（３３４０−１）、倍率ボタン（３３４１）、読み取りサイズボタン（３３４２）、濃度調整ボタン（３３４３）、原稿種類選択スクロールボタン（３３４４）、応用モードボタン（３３４５）、初期値に戻すボタン（３３４６）、キャンセルボタン（３３４６）、文書名ボタン（３３４７）、文書名フィールド（３３４８）、振動登録ボタン（３３４９）から構成される。等倍ボタン（３３４０−１）を選択すると原稿読み取り倍率を１００％に設定する。倍率ボタン（３３４１）を選択すると倍率選択サブ画面が表示され原稿読み取り倍率を設定することができる。読み取りサイズボタン（３３４２）を選択すると読み取りサイズサブ画面が表示され原稿読み取りサイズを設定することができる。濃度調整ボタン（３３４３）は、原稿読み取り時の濃度を設定するボタンであり、左ボタンを押すと薄く、右ボタンを押すと濃く、自動ボタンを押すと原稿に最適な濃度に設定することができる。原稿種類選択スクロールボタンは、原稿の種類を選択させるスクロールボタンであり、文字原稿モード、写真原稿モード、文字写真原稿を選択することができる。応用モードボタン（３３４５）を押下すると応用モード選択サブ画面が表示され、移動量、ネガポジ反転モード等の画像処理を設定を行うことができる。
【００６１】
初期値に戻すボタン（３３４６）を押下すると、すべての設定がデフォルト値に設定される。キャンセルボタン（３３４６）を押下すると設定がキャンセルされ、ユーザＢＯＸサブ画面３３２０に戻る。文書名ボタン（３３４７）を押下すると文書名入力サブ画面が表示されＢＯＸに登録する文書名を設定することができる。設定した文書名は文書名フィールド（３３４８）に表示される。振動登録ボタン（３３４９）を押下してボタンを反転させると、ＢＯＸに登録する文書に対して、振動属性付きの文書として登録する設定になり、再押下して振動登録を解除すると、ＢＯＸに登録する文書に対して振動属性をつけない設定になる。
【００６２】
原稿読み取りサブ画面が表示されているときに、スタートキー３００２を押下すると、スキャナから原稿を読み込みＢＯＸに格納することができる。このとき、読み込んだ原稿の画像データに対応して、画像サイズ等の画像属性、文書名、振動属性の有無、保存時間、画像ページ数、原稿の種類などを対応づけて保存する。
【００６３】
また、スキャナからの入力だけではなく、ＰＣ４０１からＢＯＸを指定してＰＤＬラスタデータを保存することも可能になっていて、ＰＣ４０１のドライバソフトにより振動属性有無を設定することが可能になっている。スキャナからの入力の場合は原稿種類がスキャン文書、ＰＤＬからの入力の場合はＰＤＬ文書として前述した原稿の種類を区別している。
【００６４】
＜ユーザＢＯＸサブ画面内での振動制御＞
タッチパネルの振動は、ユーザＢＯＸサブ画面を表示しているときだけ有効になり、ユーザＢＯＸサブ画面を表示したときに、文書一覧領域３３２１にＢＯＸリストを表示するために文書名などの属性を取得する際に振動属性有無の情報も取得しておく。
【００６５】
図１３は本実施例におけるユーザＢＯＸサブ画面内でタッチパネルの振動を制御するフローチャートである。なお、図中のＳ４０１〜Ｓ４０７は各ステップを示す。
【００６６】
Ｓ４０１で操作部１８０からハードキー群３００６の入力及びタッチパネル３００１の座標情報が入力されたかどうかを判断する。タッチパネル入力があったと判断したときにはＳ４０２で、入力された座標が文書一覧領域かどうかを判断する。文書一覧領域と一致した場合は、Ｓ４０３で入力された座標位置に対応するボックス文書を特定し、特定したボックス文書について振動属性が有りか無しかを判断する。振動属性が有りと判断するとＳ４０４でＩＯ制御コントローラ１３６に図４で説明したタッチパネルの振動出力パターン（ｂ）を設定し、タッチパネル３００１を振動させる。パターン（ｂ）を採用したのは、モータで振動させたような感触を採用しただけの理由であり、その他の振動パターンを設定しても構わない。
【００６７】
Ｓ４０１でタッチパネル入力がなかった場合、Ｓ４０２でタッチパネル入力座標が文書一覧領域３３２１でなかった場合、Ｓ４０３で特定したＢＯＸ文書には振動属性がなしと判断した場合は、Ｓ４０１に戻る。また、Ｓ４０４でパネルを振動させたあともＳ４０１に戻る。
【００６８】
例えば、図１０に示すユーザＢＯＸサブ画面３３２０において、文書名２００４０５２４１８１５５２は振動登録オフで保存されていて、文書名２００４０５２４１８１６０９は振動登録オンで保存されていた場合に、タッチパネル上で文書名２００４０５２４１８１６０９に触れたときにはタッチパネルが振動し、文書名２００４０５２４１８１５５２に触れたときには振動しないようになる。
【００６９】
本実施形態では、振動するかしないかだけを設定させたが、振動する設定の場合にさらに複数の振動パターンからユーザ好みの振動パターンを任意に選択させても構わない。この場合、読み込んだ原稿の画像データに対して、振動種類を対応づけて保存し、Ｓ４０４でタッチパネルを振動させる際に、振動種類に対応した振動パターンを設定してタッチパネルを振動させればよい。
【００７０】
（第２の実施形態）
第１の実施形態では、原稿読み込みサブ画面（３３４０）の振動登録ボタン（３３４９）により、ＢＯＸ文書に対して振動するかどうかを設定していたが、第２の実施例では、原稿読み込みサブ画面では図１２のように文書重要度ボタン（３３６０）を表示するところが異なっている。
【００７１】
文書重要度ボタン（３３６０）を押下すると文書重要度設定サブ画面が表示され、登録する文書に対して、重要、ふつう、重要でないの文書重要度の設定を行うことができる。
【００７２】
文書の重要度に対しては、重要の場合は、図４の振動パターン（ｂ）、ふつうの場合は振動パターン（ｃ）、重要でない場合は振動しないが対応づけられている。
【００７３】
ユーザＢＯＸサブ画面内での文書が選択されたときは、図１３のＳ４０４でパネルを振動させるステップにおいて、第２の実施例では、特定した文書に対して文書重要度を判断し、文書重要度に応じて振動パターン（ｂ），（ｃ），振動しないの制御を行う。
【００７４】
第２の実施例では、文書の重要度に対応して振動パターンを対応づけたが、本発明はこれに限るわけではなく、文書の優先度に対応して振動パターンを対応づけを行い、優先度が高い文書には振動パターン（ｂ）、低い文書には振動させないという対応づけを行ってもよい。
【図面の簡単な説明】
【００７５】
【図１】本装置の全体構成を示すブロック図である。
【図２】本装置のリーダ部及びプリンタ部の外観図である。
【図３】本装置の制御装置部のブロック図である。
【図４】タッチパネルを振動させる振動パターンの一例を示す図である。
【図５】操作部の各画面を示す図である。
【図６】操作部の各画面を示す図である。
【図７】操作部の各画面を示す図である。
【図８】操作部の各画面を示す図である。
【図９】操作部の各画面を示す図である。
【図１０】操作部の各画面を示す図である。
【図１１】操作部の各画面を示す図である。
【図１２】操作部の各画面を示す図である。
【図１３】振動を制御するシーケンスを説明する図である。
【符号の説明】
【００７６】
１１０  制御装置
１８０  操作部
２００  リーダー部
２１０  スキャナユニット
２５０  原稿給紙ユニット
３００  プリンタ部
３１０  マーキングユニット
３６０  給紙ユニット
３７０  排紙ユニット
４００  ネットワーク
４０１，４０２  ホストコンピュータ
【図１】
2006171945.tif 000003
【図２】
2006171945.tif 000004
【図３】
2006171945.tif 000005
【図４】
2006171945.tif 000006
【図５】
2006171945.tif 000007
【図１３】
2006171945.tif 000008
【図６】
2006171945.tif 000009
【図７】
2006171945.tif 000010
【図８】
2006171945.tif 000011
【図９】
2006171945.tif 000012
【図１０】
2006171945.tif 000013
【図１１】
2006171945.tif 000014
【図１２】
2006171945.tif 000015